(57)【要約】【課題】施工性をよくして工期の短縮が可能であり、横木の部分的交換を簡単かつ短時間に行えるフロント式擬木柵を提供する。【解決手段】複数の支柱１０と、単数又は複数の横木２０と、分割式の継手装置３０とを具備したフロント式擬木柵であって、分割式の継手装置３０が受継手３１と蓋継手３５と、受継手３１を支柱に固定する取着ボルト４０と、横木２０を抱持させた受継手３１と蓋継手３５の間を連結する連結ボルト４５とを具備する。【選択図】図７
2017214714.tif 000002
【特許請求の範囲】
【請求項１】
所定の間隔を隔てて立設した複数の支柱と、隣り合う支柱の片側に横架した単数又は複数の横木と、隣り合う横木の端部を連結しつつ、支柱へ取り付ける分割式の継手装置とを具備したフロント式擬木柵であって、
前記分割式の継手装置が、横木の端部を載置可能で断面形状が略Ｊ字形を呈する受継手と、
受継手の開口部を封鎖可能で断面形状が略Ｃ字形を呈する蓋継手と、
受継手及び支柱を貫挿可能な全長を有する取着ボルトと、
横木を抱持させた受継手と蓋継手間を貫挿可能な全長を有する連結ボルトとを具備し、
受継手の内側から貫挿された前記取着ボルトを介して受継手が支柱に固定され、
前記連結ボルトを介して受継手と蓋継手間に隣り合う横木の端部が抱持されて連結されていることを特徴とする、
フロント式擬木柵。
【請求項２】
前記受継手が横木の端部の底部を転動不能な状態で載置可能な皿部と、皿部の一端から上方へ延びる起立部とを有し、該起立部の中央に外方へ向けて突出する隆起部が形成され、該隆起部の側面に取着ボルト挿通用のボルト穴が形成されていることを特徴とする、請求項１に記載のフロント式擬木柵。
【請求項３】
前記受継手と蓋継手には間隔を隔てて連結ボルト挿通用の長穴が形成されていることを特徴とする、請求項１又は２に記載のフロント式擬木柵。
【請求項４】
前記複数の横木と、該複数の横木の間に交差して枢支させた複数の縦桟とにより格子ユニットが構成され、前記継手装置を介して隣り合う格子ユニットから延びる横木の端部が連結されていることを特徴とする、請求項１に記載のフロント式擬木柵。
【請求項５】
前記支柱、横木、又は縦桟が、芯管と、該芯管の表面を被覆した樹皮模様の被膜とにより構成されていることを特徴とする、請求項１，２又は４に記載のフロント式擬木柵。
【請求項６】
前記支柱は先行して地中に打設された芯管と、該芯管の地上部に外装された筒状の被膜とにより構成される打込み式の支柱であることを特徴とする、請求項１又は５に記載のフロント式擬木柵。
【発明の詳細な説明】
【技術分野】
【０００１】
本発明は遊歩道や公園等の屋外に設置する擬木柵に関し、特に隣り合う支柱の片側に単数又は複数の横木を交差させて組み立てたフロント式擬木柵に関する。
【背景技術】
【０００２】
硬質パイプの表面を樹皮模様の合成樹脂で被覆した擬木柵は周知である。
一般的な擬木柵は、隣り合う支柱間に横架させた横木の両端部を支柱の中心位置に連結していて、横木が支柱からはみ出ない構造となっている（特許文献１，２）。
また図１０に示すように隣り合う支柱７０の片側に横木７１を交差させて組み立てたフロント式擬木柵も知られている（特許文献３）。
このフロント式擬木柵では、支柱７０を水平に貫通した固定ボルト７３を介して円筒形の継手金具７２が支柱７０の側面に固定してある。
継手金具７２は、横木７１の端部を挿通可能な筒部７２ａと、筒部７２ａの中央背面に固着された固定ナット７２ｂとを具備していて、支柱７０の背面側から貫挿した固定ボルト７３の先端を固定ナット７２ｂに螺着することで筒部７２ａを固定している。
横木７１を隣り合う支柱７０間に架設するには、支柱７０から離隔した状態の筒部７２ａの中程まで各横木７１の端部を差し込んだ状態で、固定ボルト７３と固定ナット７２ｂを用いて筒部７２ａを支柱７０に固定する。
最後に筒部７２ａと横木７１の重合箇所を連結ボルト７５とナット７６を用いて固定する。
【先行技術文献】
【特許文献】
【０００３】
【特許文献１】特開平６−１１７１５０号公報
【特許文献２】特開平９−２６８５３２号公報
【特許文献３】特開２０００−２８２７１８号公報
【発明の概要】
【発明が解決しようとする課題】
【０００４】
従来のフロント式擬木柵にはつぎのような解決すべき課題がある。
＜１＞継手金具７２の筒部７２ａが円筒形を呈するため、柵の一端から延設方向へ向けて順番に横木７１を横架しなければならず、横木７１の組立効率が悪いだけでなく組付けに多くの時間と労力を要する。
＜２＞擬木柵の始端と終端の支柱７０間に横木７１を繋げて無端形状に組み立てる場合は、最終スパンの横木７１の組付け作業が非常に面倒である。
具体的には、固定済みの複数スパンの筒部７２ａを暫定的に支柱７０から取り外し、取り外した筒部７２ａの間に横木７１を差し込んだ後に部７２ａを支柱７０に再固定しなければならず、最終スパンの横木７１の組付けに多くの時間と労力を要する。
＜３＞変形や損傷等により横木７１を交換する場合には、少なくとも２スパンの継手金具７２を取り外し、３〜４人の作業者が複数の横木７１を手で支えながら横木７１の撤去作業と組付け作業をしなければならず、横木７１の交換作業に多くの時間と労力を要する。
＜４＞擬木柵の外観性をよくするため、継手金具７２の背面側に固定ナット７２ｂを溶接、カシメ等により固着しなければならず、継手金具７２のコストアップの要因となっている。
＜５＞継手金具７２の他の固定構造として、支柱７０と継手金具７２の筒部７２ａの両部材を貫通可能な長尺の連結ボルト７３を使用して継手金具７２を固定することも可能であるが、継手金具７２の正面にボルトヘッドが露出して擬木柵の外観を損ねる。
【０００５】
本発明は既述した点に鑑みてなされたもので、その目的とするところはつぎのフロント式擬木柵を提供することにある。
＜１＞施工性をよくして工期の短縮が可能であること。
＜２＞横木の部分的交換を簡単かつ短時間に行えること。
＜３＞継手装置のコスト削減を図ること。
【課題を解決するための手段】
【０００６】
本発明は、所定の間隔を隔てて立設した複数の支柱と、隣り合う支柱の片側に横架した単数又は複数の横木と、隣り合う横木の端部を連結しつつ、支柱へ取り付ける分割式の継手装置とを具備したフロント式擬木柵であって、前記分割式の継手装置が、横木の端部を載置可能で断面形状が略Ｊ字形を呈する受継手と、受継手の開口部を封鎖可能で断面形状が略Ｃ字形を呈する蓋継手と、受継手及び支柱を貫挿可能な全長を有する取着ボルトと、横木を抱持させた受継手と蓋継手間を貫挿可能な全長を有する連結ボルトとを具備し、受継手の内側から貫挿された前記取着ボルトを介して受継手が支柱に固定され、前記連結ボルトを介して受継手と蓋継手間に隣り合う横木の端部が抱持されて連結されている。
さらに本発明の他の形態において、前記受継手が横木の端部の底部を転動不能な状態で載置可能な皿部と、皿部の一端から上方へ延びる起立部とを有し、該起立部の中央に外方へ向けて突出する隆起部が形成され、該隆起部の側面に取着ボルト挿通用のボルト穴が形成されている。
さらに本発明の他の形態において、前記受継手と蓋継手には間隔を隔てて連結ボルト挿通用の長穴が形成されている。
さらに本発明の他の形態において、前記複数の横木と、該複数の横木の間に交差して枢支させた複数の縦桟とにより格子ユニットが構成され、前記継手装置を介して隣り合う格子ユニットから延びる横木の端部が連結されている。
さらに本発明の他の形態において、前記支柱、横木、又は縦桟が、芯管と、該芯管の表面を被覆した樹皮模様の被膜とにより構成されている。
さらに本発明の他の形態において、前記支柱は先行して地中に打設された芯管と、該芯管の地上部に外装された筒状の被膜とにより構成される打込み式の支柱である。
【発明の効果】
【０００７】
本発明は少なくとも次の一つの効果を得ることができる。
＜１＞分割式の継手装置を用いることで、横木を横架する順番の制約がなくなり、横木を任意位置の支柱間に横架することができる。
したがって、擬木柵の延設方向へ向けて順番に横木を架設する従来の擬木柵と比べてフロント式擬木柵の施工性がよくなると共に工期を大幅に短縮できる。
＜２＞分割式の継手装置を構成する略Ｊ字形を呈する受継手単独で横木の端部を載置可能であるため、支柱間に横木を効率よく横架できて大幅な工期短縮と省力化が図れる。
＜３＞横木を任意位置の支柱間に横架できるので、横木の部分的交換作業を簡単かつ短時間に行えるとともに、無端形状の擬木柵も効率よく製作することができる。
特に横木の交換作業を行う際には従来と比べて作業者の人数を大幅に削減できる。
＜４＞受継手の内側から取着ボルトを貫挿して支柱の背面側で固定できるので、受継手にナット要素を予め設けておく必要がない。
そのため、継手装置の低コスト化が可能となる。
＜５＞受継手を皿部と起立部とにより構成することで、受継手を支柱へ取付けできると共に、受継手に横木の端部を安定した姿勢で載置できる。
＜６＞受継手の起立部に隆起部を一体に成形することで、受継手の曲げ強度が高くなって横木の支持力が増す。
＜７＞擬木柵の製作後において、継手装置を正面から見たときに、取着ボルトが内部に隠れ、しかも受継手と蓋継手が同一曲率の湾曲面として形成されるので外観が綺麗である。
【図面の簡単な説明】
【０００８】
【図１】本発明に係るフロント式擬木柵の説明図で、（ａ）は一部を省略したフロント式擬木柵の正面図、（ｂ）は打込み式支柱のモデル図
【図２】支柱に横木を取り付けるための継手装置の正面図
【図３】図２におけるIII−IIIの断面図
【図４】継手装置の組立斜視図
【図５】継手装置の対比モデル図で、（ａ）は一本の筒体を縦割りして受継手と蓋継手を形成した対比例１のモデル図、（ｂ）一本の筒体を横割りして受継手と蓋継手を形成した対比例２のモデル図
【図６】受継手を支柱に取着する作業を説明するための支柱の部分縦断面図
【図７】横木の横架作業を説明するための継手装置の斜視図
【図８】横木の横架作業を説明するための支柱と継手装置の縦断面図
【図９】他の実施形態の説明図
【図１０】従来のフロント式擬木柵の説明図で、（ａ）は一部を省略したフロント式擬木柵の斜視図、（ｂ）は支柱と横木の取付部の縦断面図
【発明を実施するための形態】
【０００９】
以下、図面を参照しながら本発明について説明する。
【００１０】
＜１＞フロント式擬木柵の概要
図１（ａ）を参照して説明すると、本発明のフロント式擬木柵は、所定の間隔を隔てて立設した複数の支柱１０と、隣り合う支柱１０の片側に横架した単数又は複数の横木２０と、隣り合う横木２０の端部を連結しつつ、支柱１０へ取り付ける分割式の継手装置３０とを具備する。
本発明は公知の擬木素材である支柱１０と横木２０との交差部の固定手段として、分割式の継手装置３０を用いるものである。
【００１１】
＜２＞支柱
支柱１０は芯管１１の表面を樹皮模様の被膜１２で被覆した断面形状が円形又は角形を呈する柱体である。支柱１０の下部はコンクリート基礎又は地山に埋設されている。
芯管１１は鋼管、アルミ管、樹脂管、紙管等の硬質パイプであり、被膜１２は硬質樹脂、軟質樹脂、コンクリート等を含む。
支柱１０は図１（ａ）に示すような建込み式の他に、図１（ｂ）に示すような先行して地中に打設した芯管１１の地上部に筒状の被膜１２を外装する打込み式であってもよい。
打込み式の場合、被膜１２が５〜８０ｍｍの厚さを有し、釘、ビス、ボルト等ので固定具により被膜１２を芯管１１に固定する。
支柱１０の本体には継手装置３０の取付位置に合せて水平に向けて貫通孔１３が穿設されている（図３）。
【００１２】
＜３＞横木
横木２０は鋼管等の芯管２１の表面を樹皮模様の被膜２２で被覆した断面形状が円形又は角形を呈する柱体である。
芯管２１は鋼管、アルミ管、樹脂管、紙管等の硬質パイプであり、被膜２２は硬質樹脂、軟質樹脂、コンクリート等を含む。
横木２０の端部近くには縦向きに貫通したボルト孔２３が穿設されている（図３）。
【００１３】
＜４＞継手装置
図２〜４を参照して説明すると、分割式の継手装置３０は、横木２０の端部を安定姿勢で載置可能な断面略Ｊ字形を呈する受継手３１と、受継手３１の開口部を封鎖可能な断面略Ｃ字形を呈する蓋継手３５と、受継手３１を支柱１０にボルト止めする取着ボルト４０とナット４１と、横木２０と共に横木２０を挟持する受継手３１と蓋継手３５間に貫挿して連結する連結ボルト４５とナット４６とを具備する。
本例では取着ボルト４０及び連結ボルト４５に角根丸頭ボルトを用いる形態について説明するが、公知のボルトを適用することも可能である。
取着ボルト４０は受継手３１及び支柱１０を貫挿可能な全長を有し、連結ボルト４５は横木２０を抱持させた受継手３１と蓋継手３５間を貫挿可能な全長を有する。
【００１４】
＜４．１＞受継手
図４を参照して説明すると、受継手３１は一枚の帯板を円弧形の断面形状に成形した湾曲板であり、横木２０の端部を安定した姿勢で載置可能な皿部３１ａと、皿部３１ａの一端から上方へ延びる起立部３１ｂとを有する。
皿部３１ａは単独で横木２０の底部を転動不能な状態で支持する部位である。
皿部３１ａの最下部には間隔を隔てて一対の長穴３２，３２が形成されている。
起立部３１ｂの中央には外方へ向けて隆起部３１ｃが一体に形成してあり、隆起部３１ｃの平らな側面３１ｄには取着ボルト４０を挿通可能な角形のボルト穴３３が形成されている。
隆起部３１ｃは取着ボルト４０の頭部４０ａ全体を収容可能であり、プレス加工に簡易に形成できる。ボルト穴３３は取着ボルト４０の角根４０ｂを嵌挿可能な寸法になっている。
起立部３１ｂに隆起部３１ｃを一体成形することで、受継手３１の曲げ強度が高くなって、横木２０の支持力が増す。
受継手３１の内側から取着ボルト４０を挿し込み、支柱１０の背面側でナット４１等で固定できるので、受継手３１にナット要素を設ける必要がない。
そのため、継手装置３０の低コスト化が可能となる。
【００１５】
＜４．２＞蓋継手
蓋継手３５は横木２０の端部に被せる断面が円弧状を呈する湾曲板であり、一枚の帯板を円弧形の断面形状に成形して形成できる。
蓋継手３５には受継手３１の長穴３２，３２と対応した一対の長穴３６，３６が開設されている。
【００１６】
＜４．３＞受継手と蓋継手を分離した理由
本発明では横木２０の端部を受継手３１と蓋継手３５の二部材で挟持するようにした。
受継手３１と蓋継手３５を分離独立した部材で形成したのは、継手装置３０の正面位置から横木２０の端部を出し入れするためである。
【００１７】
＜４．４＞受継手を皿部と起立部で形成した理由
受継手３１に皿部３１ａと起立部３１ｂとを形成したのは、起立部３１ｂを通じて受継手３１を支柱１０に取り付けると共に、皿部３１ａのみで横木２０の端部を落下させずに載置するようにするためである。
すなわち、図５（ａ）の対比例１に示すように、一本の筒体を縦割して受継手３１と蓋継手３５を形成した場合、開口部を真横に向けた半筒状の受継手３１を支柱１０に取り付けできるものの、受継手３１単独では横木２０を載置できないといった不具合がある。
また図５（ｂ）の対比例２に示すように一本の筒体を横割（水平割）して受継手３１と蓋継手３５を形成した場合、開口部を真上に向けた半筒状の受継手３１に横木２０の端部を収容可能であるものの、半筒状の受継手３１を支柱１０に取り付けできないといった不具合がある。
本発明では上記した不具合を解消し、支柱１０への取付けと横木２０の端部の載置を両立させるために、受継手３１に皿部３１ａと起立部３１ｂを連続的に形成したものである。
【００１８】
［フロント式擬木柵の組立方法］
継手装置３０を使用したフロント式擬木柵の組立方法について説明する。
説明に際し、複数の支柱１０は予め立設されていることを前提とする。
【００１９】
＜１＞受継手の取付け
図６は取着ボルト４０を用いて受継手３１を支柱１０に取り付ける工程を示している。
受継手３１の内側からボルト穴３３を通じて取着ボルト４０を差し込み、その軸部４０ｃを支柱１０の貫通孔１３に挿通してワッシャ４３を介してナット４１で締め付けて、受継手３１を支柱１０に取り付ける。
取着ボルト４０の頭部４０ａは隆起部３１ｃ内に収容されて起立部３１ｂの内面側に突出しない。
受継手３１が取着ボルト４０を中心として回動自在であるから、擬木柵の設置地盤の傾斜に応じて受継手３１の取付角度を変更できる。
【００２０】
＜２＞横木の架設
本発明では以降に説明するように、隣り合う横木２０の端部を受継手３１に仮置きした後に蓋継手３５を被せて固定することで横木２０を架設する。
＜２．１＞横木の仮置き
図７を参照して説明すると、隣り合う支柱１０に取り付けた上向きの受継手３１の上面に横木２０の端部を載置して架け渡す。一つの受継手３１に対して左右２本の横木２０の端部を載置する。
この際、横木２０の端部は各受継手３１に載置するだけであって、連結ボルト４５は使用しない。
横木２０の仮置き作業は横木２０の両端部を各受継手３１に載置するだけの簡単な作業であるから、１人の作業者で対応できる。
さらに横木２０の仮置き作業は任意の位置で行えるので、擬木柵の延設方向へ向けて順番に架設する従来の組立方法と比べて効率よく短時間のうちに横木２０を架設できる。
【００２１】
＜２．２＞横木の固定
図７，８を参照して説明すると、受継手３１に載置した左右２本の横木２０の端部に跨って蓋継手３５を被せる。
蓋継手３５の長穴３６、横木２０の端部のボルト孔２３、及び受継手３１の長穴３２の位置合わせを行い、蓋継手３５の上方から下向きに連結ボルト４５を挿し込む。
受継手３１の下方でワッシャ４７を介してナット４６を螺着して、図２，３に示すように横木２０の端部を受継手３１と蓋継手３５で抱持して固定する。
尚、横木２０の仮置き作業と固定作業を繰り返し行ってよいが、横木２０の仮置き作業と固定作業を並行して行ってもよい。
フロント式擬木柵では任意の支柱１０間に横木２０を横架することができる。
擬木柵の製作後において、継手装置３０を正面から見たときに、取着ボルト４０が内部に隠れ、しかも受継手３１と蓋継手３５が同一曲率の湾曲面として形成されるので外観が綺麗である。
【００２２】
＜３＞擬木柵が無端形状である場合
擬木柵を無端形状に組み立てる場合にも、横木２０を片側から順番に延設する必要がなく、任意の位置から支柱１０間に横木２０を横架して製作できる。
【００２３】
＜４＞横木を交換する場合
図８を参照して損傷等により横木２０を交換する場合について説明する。
ナット４６を取り外して連結ボルト４５を抜き取り、２つの蓋継手３５を取り外すことで横木２０の両端部を開放する。この状態で横木２０を取り外して新たな横木２０と交換する。
このように横木２０を交換するには、必要最小限の２つの蓋継手３５を取り外すだけの簡単な作業であるので、１人の作業者でも短時間のうちに簡単に交換作業を行える。
【００２４】
［他の実施形態］
図９を参照して隣り合う支柱１０間に格子ユニット２５を架設した他の擬木柵を説明する。
本例の擬木柵は所定の杆陷を隔てて立設した複数の支柱１０と、上下２本の横木２０，２０の間に複数の縦桟２４を交差させ、その交差部を枢支して構成する格子ユニット２５と、隣り合う格子ユニット２５から延びる横木２０の端部を連結しつつ、支柱１０へ取り付ける分割式の継手装置３０とを具備する。
縦桟２４は横木２０と同様に、芯管の表面を樹皮模様の被膜で被覆した断面形状が円形又は角形を呈する柱体である。
格子ユニット２５は上下の横木２０，２０と各縦桟２４の端部近くの交差部をボルト、リベット、ピン等で連結して格子状に製作してある。横木２０と縦桟２４の各交差部を回動不能に剛結してもよいが、これらの交差部の接続角度が可変なように枢支してもよい。
本例では既述した継手装置３０を介して格子ユニット２５を吊り込んで隣り合う支柱１０の間に架設することができる。
【符号の説明】
【００２５】
１０・・・・・支柱
１１・・・・・芯管
１２・・・・・被膜
２０・・・・・横木
２１・・・・・芯管
２２・・・・・被膜
２４・・・・・縦桟
２５・・・・・格子ユニット
３０・・・・・継手装置
３１・・・・・受継手
３１ａ・・・・受継手の皿部
３１ｂ・・・・受継手の起立部
３１ｃ・・・・隆起部
３２・・・・・長穴
３３・・・・・ボルト孔
３５・・・・・蓋継手
３６・・・・・長穴
４０・・・・・取着ボルト
４１・・・・・ナット
４５・・・・・連結ボルト
４６・・・・・ナット
【図１】
2017214714.tif 000003
【図２】
2017214714.tif 000004
【図３】
2017214714.tif 000005
【図４】
2017214714.tif 000006
【図５】
2017214714.tif 000007
【図６】
2017214714.tif 000008
【図７】
2017214714.tif 000009
【図８】
2017214714.tif 000010
【図９】
2017214714.tif 000011
【図１０】
2017214714.tif 000012